(57)【要約】【課題】痴漢といえば夜間徘徊し、痴漢行為を行うものから、昼間の混雑した電車・バス人の多く集る場所映画館・その他の中で痴漢行為を行うもの等と多くあると思われるが本発明の場合後者を主として考えるものとする。痴漢に襲われ心身共に傷付き決定的な証拠となる状況がないままに泣き寝入りする不幸を解決する対策品である。【解決手段】指輪に容易に消すことの出来ない油性の着色顔料インクの入ったマーク装置を備え、痴漢行為に巻き込まれた場合、現行犯時に相手の行動する手等に証拠となるシルシをつける事により、犯行の決定的なる確証をつくる。【選択図】      図３
2004201887.tif 000002
【特許請求の範囲】
【請求項１】
容易に消すことの出来ない油性の着色顔料インクを使用し痴漢の現行犯時証拠となるしるしを付けるための装置を備えた、痴漢対策用指輪。
【発明の詳細な説明】
【０００１】
【発明の属する技術分野】
本発明は、容易に消すことの出来ない油性の着色顔料インクを用いて痴漢に遭遇した場合、現行犯時の証拠となるシルシを犯人に付けるための、マーク装置を備えた指輪に関するものである。
【０００２】
【従来の技術】
女性の身辺に多発する痴漢行為に遭遇した場合大きな声を出して撃退する事の出来ない人も多く、そのまま悠々と逃げ去る犯人を確証なきが為に摘発することも出来ず残念な思いをする人は多い
【０００３】
この状況を解決に導くため、痴漢に遭った時押すと、警報音や光を発生する指輪、痴漢防止用装身具（例えば、特許文献１参照。）。
また、警報音発生装置を内蔵する腕時計（例えば、特許文献２参照。）。
指輪に仕込んであるレバーの操作により、針が突き出す防犯具（例えば、特許文献３参照。）もあるが何かの事態にてレバーが動き、関係なき人を傷つける危険性もある。
警報音発生方法及び発音式警報指輪（例えば、特許文献４参照。）は指輪自体が小さな物であるが故に、あまりにも複雑な装置は組み込む事が容易でなく、故障、電池きれなどの心配が起きる可能性がはなはだ多いとおもわれる。
【０００４】
【特許文献１】
実用新案登録第３０３５１７９号
【特許文献２】
特開平９―３２５７８０号公報
【特許文献３】
特開２０００−１４４１７号公報
【特許文献４】
特開２００１‐２４３５７０号公報
【０００５】
【発明が解決しようとする課題】
しかしながら前記の公報によるものは防犯具としては通用するものであるが犯行確証の決め手となる物証に乏しく、当該現場限りの対策としかならない。
【０００６】
過去、現世代を問わず痴漢に遭遇し、心身共に傷つけられ不幸におちいった人々も多く、これに対処する前記のごとき防犯具もあり、防犯運動も多いが決定的なる証拠が取り付けられないままに終わる不遇な人の多い現状である。
【０００７】
【課題を解決するための手段】
前記の状況を打ち破るために本発明の痴漢対策用マーク装置付き指輪を装着する、装着する指は左右を問わないが、非常の場会い親指にてマーク装置の蓋を開ける操作を行うため人差し指もしくは中指が適当と思われる。
【０００８】
本発明の痴漢対策用マーク装置つき指輪は、普通のリングにマーク装置を取り付けた物であるが常時携帯する場合は個人的嗜好により貴金属のリングにマーク装置を取りつけることも可能である。
【０００９】
マーク装置は手の平内側に位置する物であるため、マーク装置単体を手持ちの指輪に取りつけることもできる、マーク装置は着色顔料インクとそれを入れるためのケースから成り、ケースは中に入っている着色用インクが非常の場合を除き他に着色する事を防ぐために蓋を取りつけたものとする。
【００１０】
蓋は図２の符号３の丁番にてケースに取り付けられ、犯行に遭遇した場合親指にて蓋の上部凸面図２の符号２を押すと図２の符号１のセット部が緩み、図２の符号４の蓋開用スプリングにより蓋が開く。
【００１１】
ケースの中には図２の符号６のごとくスポンジあるいは布状の蓋より少しはみ出すくらいの厚さを持つものを接着し油性顔料インクを含浸させ押さえるように蓋を閉じることにより用意の段階が完了する。
【００１２】
証拠となる着色用油性インクは、容易に消えないもので、色彩は鮮やかな目立つものが適する、例えばマジックインキの赤あるいは蛍光色などの補充液でも良い又朱肉用の補充液なども可能である。
【００１３】
ケースの蓋には油性着色顔料液がもれないためにネオプレン系のゴム性のパッキング図２の符号５をつける。
【００１４】
上記のごとく構成された痴漢対策用マーク装置付き指輪のリング部は、普通の金属や貴金属また硬質のプラスチックなどの材質から成る、環状型のものが望ましいが装着する指の太さ等により、環の一部を切断して指に装着した場合、はさんだり傷付いたりする事のない様処理した、いわばＣ型の不完全環状型の物でもよい。
【００１５】
【発明の実施の形態】
本発明の実施の形態について説明すると、通常の金属および樹脂又は貴金属の材質から成る手持ちの指輪、又は環状型もしくは環状型の一部を切断したＣ型のリングに、痴漢遭遇時に現行犯の証拠となるマークをつける、油性の顔料インク液を内蔵する蓋付きのケースを取りつけた痴漢対策用マーク装置付き指輪である。
【００１６】
本発明の痴漢対策用マーク装置付き指輪の装着について説明すると、左右どちらの手でも良い、人差し指でも中指でも良い、指輪のマーク装置を手の平内側にして装着することとする。
【００１７】
混雑した場所例えばバス、電車の中、劇場、映画館などの状況を取り上げてみると、痴漢行為に直接遭遇した場合、本発明の指輪のマーク装置部ケースの蓋、凸部分図２の符号２を親指で押す、蓋の開閉はケース本体と蓋図２の符号２を丁番図２の符号３で連結したものであり中に蓋開用のスプリング図２の符号４が装着してある。
【００１８】
このスプリングの作用により蓋が開くとケース本体部分の中にあるスポンジあるいは布状の物に含浸している油性着色顔料液が表面に出る。
【００１９】
油性着色顔料が表面にでている状態で、痴漢行為を行っている犯人の手を握るなど直接接触する、この時相手の手に容易におちない油性着色顔料が付着する事により、現行犯時の証拠を残したことになる。
【００２０】
混雑している人ごみの中で「この手、何をするのです」などと他の人にもはっきりと聞こえる声を出し、目の前で証拠のシルシを知らせる事により犯行を行った人を確定する事が出来、犯人検挙にもつながる。
【００２１】
【発明の効果】
上記の如く、本発明の痴漢対策用マーク装置付き指輪を常に携帯装着している事により、混雑する場所や車内等にて痴漢行為の被害者となった場合に、使用すると犯人確認の証拠となり現行犯逮捕にもつながる。
【００２２】
以降この実績効果が世間一般に周知されると、痴漢の痴漢行為も実行に移しにくくなると共に、痴漢に遭遇し心身ともに傷付く人も少なくなる、効果絶讃に値する本発明である。
【図面の簡単な説明】
【図１】本発明の平面図である。
【図２】指輪のマーク装置の要部を切りかいて示す平面図である。
【図３】本発明の斜視図である。
【符号の説明】
１    蓋のセット部分
２    マーク装置の蓋凸部分
３    蓋開閉の丁番部
４    蓋開用スプリング
５    液漏れ防止用ゴムパッキン
６    マーク装置の中の着色顔料含液部
【図１】
2004201887.tif 000003
【図２】
2004201887.tif 000004
【図３】
2004201887.tif 000005